(57)【特許請求の範囲】
【請求項１】
放熱を要する各種電子機器部品に載置固定して、ファン送風による空冷の冷却効果を図るファンモータであって、ロータファンを中心位置で回動可能に軸支し、被冷却物体の表面外形形状に合致する接触面を有するヒートプレートと、該ヒートプレートの板面上略外周位置に、前記ロータファン一体のロータ部磁石と、ステータ部コイル回路基板からなるファンモータ機構を備え付けると共に、前記ロータファン形状を翼平面は各同傾斜向きに緩やかな円弧形を呈するよう設定し、ロータファンの内外二段の多枝翼形状の中間段部より内径側においては、回転軸スラスト方向開口部からの空気取入れ向きに送風されるように翼傾斜角を設定し、また同中間段部より外径側では、ロータファンの径方向外方である回転軸ラジアル方向外方に風を押し出す向きなるように翼傾斜角を設定し、かつ同円弧状に複数突出する外径側段部ロータファンの翼を、放熱板の積層域に位置するように、前記ヒートプレート内径凸段より一段下げた底部被冷却体側寄りに、翼形状を変形させた側面略逆皿形状を呈する二段型のロータファン形状とし、また冷却用放熱板としては、ロータファンの径方向外方かつ前記ヒートプレート上で、前記ロータファンの回転軸方向に、一定の隙間を保って相平行に複数枚重ねた薄板状の放熱フィンとなる熱伝導率の優れた金属体放熱板を配置し、前記ロータファン送風によりヒートプレートの吸熱を熱伝導して放熱する各放熱板と一体の冷却用ヒートシンク部分を、ファン構造の一部に組み立ててなることを特徴とするヒートシンク付き極薄型ファンモータ。
【請求項２】
前記ヒートプレート上に、ロータファンを回動可能に収容する開口部を設けた複数枚の放熱板を重ねると共に、ロータファンの径よりも小径の空気取り入れ口を中心部に設け、その取り入れ口径外周側に回路基板一体の樹脂モールドしたステータ部コイルを前記ヒートプレートと面対向位置に配置し、軸支したロータファン一体のロータ部磁石を磁気的に回転駆動させてなることを特徴とする請求項１に記載のヒートシンク付き極薄型ファンモータ。
【請求項３】
所定の隙間を保って各板面を角部寄りで熱伝達部材又は嵌合段形状により連結した複数枚の放熱板を、連結部対角線上で二カ所以上で、圧入又は接着又は融着又は長ネジ等により一体固定してヒートシンク部とステータ部を組み立ててなることを特徴とする請求項１または２に記載のヒートシンク付き極薄型ファンモータ。
【請求項４】
熱伝導性に優れた貴金属板または銅板、あるいは一部ダイヤモンド結晶材料で形成したヒートプレートを備えると共に、銅板またはアルミ板等で形成した金属放熱板を前記ヒートプレート板上に積層配置してヒートシンク部を組み立ててなることを特徴とする請求項１〜３のいずれかに記載のヒートシンク付き極薄型ファンモータ。
【発明の詳細な説明】
【０００１】
【発明の属する技術分野】
本発明は、ＰＣ（パーソナルコンピュータ）に搭載されるマイクロプロセッシングユニットなどの高性能なＣＰＵ集積回路、又はＩＣ回路基板等の放熱処理を要する各種電子機器に備え付けられる冷却用ファンモータ、並びにその冷却用ファンモータ等を構成するのに好適な小型扁平ブラシレスモータの改良に関するものである。
【０００２】
【従来の技術】
近年、携帯電話や携帯端末ＰＣなどの電子機器類の小型化、高密度化の進行に伴い、機器内部に用いられる各パーツ部品の微小化が必須となってきている。ビジネスにおいてもモバイルコンピューティングの携帯端末を始め、デスクトップＰＣ・ＦＡＸ・プリンタ等のＯＡ機器や、精密工作機械、産業用小型ロボットといったＦＡ機器関連などの駆動・制御装置においても、電子化技術と半導体集積化技術のめざましい開発が進み、今後ますます小型化へと加速していくことが予想される。
【０００３】
しかしそれら携帯機器の更なるダウンサイジング化には、半導体等の内部素子および電子回路部の発熱密度の増大が一番のネックとなる。つまり高性能化するＣＰＵ集積回路が本来の活発な演算処理を行うためには、機器装置内の単位時間当たりの発熱量、すなわち発熱ワットの増加による熱問題対策が大きな課題となる。
【０００４】
この小型高密度化によって起こるＣＰＵ発熱問題の解決を目的として、機器装置内部の温度上昇を抑える小型冷却ファン、冷却パイプ、放熱フィン、電子冷却素子等の各種冷却機構や冷却関連部品などが多数メーカーで市場に投入されているが、どれも冷却する能力はある程度得られるが、大きさ的には所望の径薄短小化には及ばず、近年の極薄スリムなノート型パソコン等の小型・軽量・携帯性が要求される携帯電子端末機器には、不十分なサイズであった。
【０００５】
例えば現在市販されている最新鋭の600ＭＨz以上の高性能ＣＰＵを搭載するノート型ＰＣモデルには、「インターフラップ機構」と呼ばれる、ＣＰＵとパソコン本体内部を効率的に冷却するものが採用されており、これは液晶ディスプレイを開くとパソコン本体後部がチルトアップして下部に空間を作り、トンネル状の「インタークーラダイキャスト」に内蔵した大型ファンモータで内部に空気を導入し、左右一方向からの風をＣＰＵ表面に接した部分に吹き付けてＰＣ本体内部の熱と共に強制的に排気するものが採用されていた。
【０００６】
しかしこれは、厚み方向で見た場合、スペース的にはＣＰＵ搭載位置からオフセットされた別の所に大型なファン機構が配置されていることとなり、ＰＣ内部全体に対する冷却効率の面では優れているが、当然ながら極薄化には対応できない構造であった。
【０００７】
このように最新鋭のノート型パソコンなどの軽量・薄型スリムなボディに要求される部品は、特に筐体の厚さ方向の設置スペースが無い為に、高性能ＣＰＵのパフォーマンス（性能）を十分発揮させるためには、前記のように熱対策が重要な課題となり、極薄で高効率なＣＰＵ部分を直接冷却するファン機構が今後の高性能ノート型モデルには必要不可欠となりつつあった。
【０００８】
また従来例の薄型ファンモータの一例としては、本発明者が先に出願した登録意匠番号１０５７６０８が挙げられる。このヒートシンク機構付き薄型ファンモータは、図５（内部構造を説明するため実際の外観と異なる）・図６で概略を示すように、放熱を要する各種発熱機器部品に載置し固定するヒートプレート34を備え、このヒートプレート34の板面略中央にはファンモータのロータ部を装備すると共に、ヒートプレート34の内側平面より立ち上げた複数個の放熱ブロック32a，32b…を、ロータ部翼30a，30b…の回転領域幅円周外方でロータ部の回転軸を中心に略放射方向に縁石状に並ぶよう設け、外周方向を風の放出口として開放させ、ヒートプレート34の対角周側壁に噛み合い嵌合(Ｄ部)で固定する回路基板一体の樹脂板24で覆い、ロータファン部で発生する風により放熱ブロック30a，30b…を強制冷却するよう構成するものがあった。
【０００９】
このヒートシンク機構付き薄型ファンモータ200では、放熱ブロック32a，32b…をロータ部翼30a，30b…の回転領域外周直近に設けているものの、ステータ部コイル23とロータ部磁石28が軸中心部分に集中し、その外周側にロータ部翼30a，30b…の回転領域空間を確保する必要性と、放熱ブロック32a，32b…の立上がり幅寸法の制限とから、風量を十分に得ながらファンモータの全体厚みを薄く形成するには限界があった。
【００１０】
また、放熱ブロック32a，32b…がファンモータ部の回転軸と同心円方向にほぼ一定厚みを持たせ、かつ縁石状に並ぶよう設けられているため、風が放熱ブロック32a，32b…に突き当たって抵抗となりスムースに風が流通せず、またロータ部翼30a，30b…の翼面積も小さいことから、送風能力が小さく、思いの外十分な冷却効果が得られないものであった。
【００１１】
また他の一つの要因としては、図６に示す側断面図のロータ部ファン30と空気取入れ口40の構造的な関係が挙げられる。つまりロータ部ファン30の翼面（30a，30b…）の大きさと空気取入れ口40の開口部の構造的な関係により、回転動作時においても送風能力が制限され、風量が得られないことが性能に大きく影響していた。先にも述べた通り、風が放熱ブロック32a，32b…に突き当たって抵抗となり、スムースに風が流通しないことも大きな要因ではあるが、全体的にロータ部の再設計による高効率化、及び放熱ブロックの配置と形状、及びそれらの組み合わせ構造について見直す必要があった。
【００１２】
【発明が解決しようとする課題】
現在、ノート型パソコンに搭載されている冷却装置は、本体内外に通ずる排気用ファンモータやキーボード下部や本体筐体金属部を使って外方表面で間接的に自然放熱する方法が主である。しかし、ＣＰＵの超高速・超高性能化による発熱量の増加により、新たな冷却装置の需要がノート型パソコンに限らず、インテリジェントデスクトップなど今後全ての市販される次世代パソコン機種に搭載されることが期待されている。
【００１３】
こうした中、急速に進む高性能ＣＰＵ搭載機種の熱対策の冷却用途として、ヒートシンク付き極薄型ファンモータが注目されている。これにより超高性能ノート型パソコン、更には次期ＧＨzクラスのＣＰＵ搭載機種に対し、極めてパフォーマンスの高い、安定した演算処理スピードを保証できる高性能パソコンが実現できる。
【００１４】
本発明は、外形３０mm角で、厚さ３mm程度の極薄の小型扁平型ファンモータの寸法サイズにおいても、放熱冷却効率に優れ、十分な性能をもつヒートシンク付き極薄型ファンモータを提供するものである。また、構造的にもモータ全体として部品点数が少なく、軽くて薄型なもの、さらに組立自動機で容易にアッセンブルでき、安価な部品でのユニット構成が可能なファンモータを量産可能とすることにより、上記に示した電子機器部品の発熱問題を解決し、極薄型の冷却装置として超高性能ノート型パソコンを始めとしたモバイル携帯端末、ＯＡ又はＦＡ機器への幅広い分野へも応用することができるヒートシンク付き極薄型ファンモータを提供するものである。
【００１５】
【課題を解決するための手段】
本発明のヒートシンク付き極薄型ファンモータは、放熱を要する各種電子機器部品、特にＣＰＵに直接載置固定して、ファン送風による空冷の冷却効果を図る扁平ファンモータであり、ロータファンを中心位置で回動可能に軸支し、被冷却物体（主にＣＰＵ）の表面外形形状に合致する接触面を有するヒートプレートと、該ヒートプレートの板面上略外周位置に、前記ロータファン一体のロータ部磁石と、ステータ部コイル回路基板からなるファンモータ機構を備え付けると共に、冷却用放熱板としてロータファンの径方向外方かつ前記ヒートプレート上で、ロータファンの回転軸方向に、一定の隙間を保って相平行に複数枚重ねた薄板状の放熱フィンとなる熱伝導率の優れた金属体放熱板を配置し、ロータファン送風により、ヒートプレートの吸熱を熱伝導して放熱する各放熱板と一体の冷却用ヒートシンク部分を一部に組み立ててなることを特徴としている。
【００１６】
また本発明に係るヒートシンク付き極薄型ファンモータにおいては、前記ヒートプレート上に、ロータファンを回動可能に収容する開口部を設けた複数枚の放熱板を重ねると共に、ロータファンの径よりも小径の空気取り入れ口を中心部に設け、その取り入れ口径外周側に回路基板一体の樹脂モールドしたステータ部コイルを前記ヒートプレートと面対向位置に配置し、軸支したロータファン一体のロータ部磁石を磁気的に回転駆動させてなることを特徴としている。
【００１７】
また本発明に係るヒートシンク付き極薄型ファンモータにおいては、所定の隙間を保って各板面を角部寄りで熱伝達部材又は嵌合段形状により連結した複数枚の放熱板を、連結部対角線上の二カ所以上で、圧入又は接着又は融着又は長ネジ等により一体固定してヒートシンク部とステータ部を組み立ててなることを特徴としている。
【００１８】
また本発明に係るヒートシンク付き極薄型ファンモータにおいては、熱伝導性に優れた貴金属板（金・銀等）または銅板、あるいは一部ダイヤモンド結晶材料（ＣＶＤダイヤモンド基板等）で形成したヒートプレートを備えると共に、銅板またはアルミ板等で形成した金属放熱板を前記ヒートプレート板上に積層配置してヒートシンク部を組み立ててなることを特徴としている。
【００１９】
また本発明に係るヒートシンク付き極薄型ファンモータにおいては、ロータファンの翼平面が各同傾斜向きに緩やかな円弧形を呈すると共に、ロータファンの内外二段の多枝翼形状の中間段部より内径側においては、回転軸スラスト方向開口部からの空気取入れ向きに送風されるように翼傾斜角を設定し、また同中間段部より外径側では、ロータファンの径方向外方である回転軸ラジアル方向外方に風を押し出す向きなるように翼傾斜角を設定し、かつ同円弧状に複数突出する外径側段部ロータファンの翼を、放熱板の積層域に位置するように、前記ヒートプレート内径凸段より一段下げた底部被冷却体側寄りに、翼形状を変形させた側面略逆皿形状を呈する二段型のロータファンを備えてなることを特徴としている。
【００２０】
【発明の実施の形態】
以下、図１〜図４を参照して本発明のヒートシンク付き極薄型ファンモータの構造を説明をする。図１（内部構造を説明するため実際の外観と異なる）・図２は極薄型ファンモータの構造を示す平面概略図と側断面概略図であり、また図３は、ファンモータ全体の部品構成を示す分解構造斜視図、また図４は、磁石一体の回転翼を有する扁平型ロータファンの形状を示す平面概略図である。
【００２１】
本発明の極薄型ファンモータの基本構造は、図１〜図３に示すように、主にＣＰＵに直接載置する金属素材のヒートプレート14と放熱板12を連結部Ｄで組み合わせた放熱冷却用のヒートシンク部と、前記ヒートプレート14中心のシャフト13にボールベアリング7で回転自在に軸支される希土類磁石8とヨーク9をロータ径の外周側に配置固定した駆動回転部のロータファン10部と、樹脂板4厚み内に巻線コイル3・ＦＰＣ基板2・吸引ヨーク1を積層配置させて一体モールドに組込んだ前記ロータ径外周位置に対向した電気部分のステータ部、の大きくは３つのユニット構造から構成されている。
【００２２】
動作原理は、ステータ部樹脂板4に均等配置した楕円変形コイルの巻線コイル3と、ロータ部ロータファン10に固定したリング状希土類磁石8との組合せによる磁気駆動回路からなる面対向型の三相ブラシレスモータ回転駆動機構であり、磁気駆動回路がロータ径円周方向外側に配置させていることから、安定した駆動特性が得られる。
【００２３】
また図４に示すロータファン10の形状の特徴としては、ファンモータとして軸方向高さ（厚み）寸法が制限されている中、送風の風量を最大に得るため、ロータファン10の段部内径側翼10a部分が軸方向ヒートプレート14の面に風を垂直に吹き付け、また段部外形側翼10b部分がヒートシンク部の軸円周方向外側の外周方向に風を押し出す働きをしている。
【００２４】
つまりロータファン10の内外二段の多枝翼形状の中間段部43より内径側においては、回転軸スラスト方向の開口部からの空気取入れ向きに効率良く風を送るように翼傾斜角を設定し、また同中間段部43より外径側では、ロータファン10の径方向外方である回転軸ラジアル方向外方に風を押し出す翼傾斜角を設定した。
【００２５】
このロータファン部の構造は、スペース的に薄く、如何にして送風風量を確保するかが重要であり、さらにファンモータ内部に取り込んだ風をどのように効率よく排出するかが設計の大きなポイントとなる。また同時に、ロータファンの風切り音の低減を目的とした翼形状の設計をも含めて、設計検討を行った。
【００２６】
また、軽量・コンパクト化の面で各部品は厚み寸法がコンマ数ミリの極限までつめられ、さらに材質自身も強度的に検討され、特にロータファン部分は精密な樹脂射出成形技術により、軽量化と部品形状精度と強度の全ての面を両立させ、同時にコストダウンを図った設計とした。
【００２７】
完成した極薄型ファンモータの冷却時の使用形態は、薄型ノート型パソコン内部のＣＰＵ上端平面部分に対し、ヒートプレート14の下面側を載置する形として接触状態で固定し、ＣＰＵ自身の発熱を熱伝導率の良いヒートプレート14と複数枚の放熱板12との組み合わせによるヒートシンク部で放熱させ、ロータファン10の回転翼により引き起こされる風（空気）の吸入・送風・排出を繰り返してＣＰＵ自身の冷却を行った。
【００２８】
付け加えておくが、ヒートプレート14の板状平面中央部の隆起部分14aは、ＣＰＵ上端平面部に四角形状の凸部段差がある近年の最新鋭高性能ＣＰＵモデルに適用できるように、その凸段部分の形状を見越して双方が面同士で接触するようにあえて設計した。実際、この四角形状の凸部段差箇所が最も発熱する位置であり、中心部にいくほど冷却が必要となる。
【００２９】
組み立てたファンモータ完成品としての冷却評価テストとしては、実際に市販されている最新鋭（ＣＰＵ650MHz）のノート型パソコンにセットし、一般的な動作環境のもと、初期目標値であるところの定格回転数７０００rpm、定格電流５０mA以下の設定条件においてテストを行った。結果としては冷却能力１.７℃／Ｗ、騒音レベル３０dB以下の規格スペックを十分満足することができた。
【００３０】
このように本発明は、ＣＰＵ本体に直接ヒートシンク機構となるファンモータ一体の冷却ファン構造を載置するものであり、発熱体であるＣＰＵ本体の熱をヒートプレート部で吸熱し、ロータファン回転翼の垂直方向から吹き付ける風により、ヒートプレート平面上に形成される温度境界層を力強く強制的に剥ぎ取ることができ、飛躍的に放熱と熱伝達率を向上させることができた。
【００３１】
また、ファン機構の薄型化に伴う放熱有効面積の確保を、薄厚複数枚の積層スリット状の放熱板形状として構成し、銅板（またはアルミ板でも可能）で形成した前記形状の金属放熱板をヒートプレート板上に配置してヒートシンク部を組み立て、さらに熱伝導性に優れた貴金属板（または銅板でも可能）のヒートプレート、あるいは一部ダイヤモンド結晶材料で形成したを素材を前記ヒートプレートのベース材として配置することも幾つかの実験により確認済みであり、コスト面を無視した場合には、これら最適な素材を用いることにより、より効率の良い、冷却性能に優れた極薄型のファンモータを組み立てることもできる。
【００３２】
【発明の効果】
以上の如く、本発明のヒートシンク付きファンモータに依れば、扁平な多枝翼形状を呈する大径のロータファンを回動可能に収容し、かつ空気取り入れ口の開口部を板面中央に大口径で配置し、また、所定の隙間を保って相平行に複数枚重ねた薄板状の放熱板とＣＰＵに接するヒートプレートから熱伝導するヒートシンク部を組み合わせることにより、厚さ３mm、外形３０mm角程度の大きさで、風（空気）の吸入から排出までの送風効率が良い、優れた冷却能力を持つヒートシンク付き極薄型ファンモータが得られる。
【００３３】
また本発明のヒートシンク付きファンモータに依れば、ヒートプレートの板厚、並びに積層配置した放熱板の層高さ、さらに樹脂一体のステータ部コイルの高さ分を合わせただけの極薄型設計の扁平薄型ファンモータとして完成でき、前記複数枚の放熱板と共に、連結部対角線上で二カ所以上で、接着又は融着又は長ネジ等によりヒートシンク部とステータ部を一体固定して組み立てるという簡単な部品構成の積み上げ固定作業により、比較的簡単な自動機でも容易にファンモータを組み立てることができる。
【００３４】
またヒートプレートの接触部形状を、被冷却物体の表面外形形状に合致するようにして発熱体ＣＰＵとの接触面積を最大限考慮し、さらに相平行に複数枚重ねて組み立てられる各放熱板によって大きな放熱有効面積を確保でき、また翼面積の大きな多枝翼形状のロータファンで送風する風を、ヒートプレート中央部凸段部分に集中的に、かつ垂直方向から吹きつけ、またロータファン外周方向では抵抗の少ない薄板状の放熱板に風を各々効率よく熱交換作用させることができるので、ＣＰＵからヒートプレートを介して各放熱板に熱伝達される熱を、強制的にかつ効率よく発散させることができる。
【００３５】
つまり本発明に係るヒートシンク付きファンモータに依れば、内外二段の多枝翼形状の大型ロータファン回転翼で垂直方向に吹き付ける風圧を増幅させ、ヒートプレート中央部表面上に形成される発熱温度境界層を力強く強制的に剥ぎ取り、また同時に、ロータファン中間段部より外径側では、剥ぎ取った温風をロータファンの径方向外方に排気風として力強く押し出すことができるので、厚さ３mmの極薄型な扁平ファンモータにおいてでも、飛躍的に放熱と熱伝達率を向上させ、冷却効率を高めることができる。
【００３６】
また本発明に係るヒートシンク付きファンモータに依れば、前記ヒートプレート上に、ロータファンの径よりも小径の空気取り入れ口を中心部に設け、その取り入れ口径外周側に回路基板一体の樹脂モールドしたステータ部コイルを前記ヒートプレートと面対向位置に配置し、軸支したロータファン一体のロータ部磁石を磁気的に回転駆動させるので、扁平ブラシレスモータとして見た場合、駆動磁気回路部分の磁石・コイルの配置径寸法が大きく、従来のような起動トルク不足の問題等の心配がなく、回転動作をスムーズにかつ安定して行うことができる。
【００３７】
また本発明に係るヒートシンク付きファンモータに依れば、熱伝導性に優れた貴金属板または銅板、あるいは一部ダイヤモンド結晶材料で形成したヒートプレートを備えると共に、銅板またはアルミ板等で形成した金属放熱板を前記ヒートプレート板上に積層配置してヒートシンク部を組み立てているので、発熱体に載置したヒートプレート部から各放熱板に、速やかに熱伝導することが可能なヒートシンク部を装備することができる。
【００３８】
また本発明に係るヒートシンク付きファンモータに依れば、ロータファンの翼平面が各同傾斜向きに緩やかな円弧形を呈すると共に、ロータファンの内外二段の多枝翼形状の中間段部より内径側においては、回転軸スラスト方向開口部からの空気取入れ向きに送風されるように翼傾斜角を設定し、また同中間段部より外径側では、ロータファンの径方向外方である回転軸ラジアル方向外方に風を押し出す向きなるように翼傾斜角を設定し、かつ同円弧状に複数突出する外径側段部ロータファンの翼を、放熱板の積層域に位置するように、前記ヒートプレート内径凸段より一段下げた底部被冷却体側寄りに、翼形状を変形させた側面略逆皿形状を呈する二段型の翼面積の大きなロータファンを備えているので、より多くの風量を送風できてヒートシンク部のヒートプレート及び放熱板を効率よく空冷できる。また同時に、翼面積が大きいのでロータファンの回転数を上げる必要もないので、ロータファンから生ずる風切り音の生じない低騒音なファンモータとして構成することができる。
【００３９】
よって本発明に係るヒートシンク付きファンモータに依れば、ビジネスの携帯端末ツールとして定着した薄厚高性能ノート型パソコンにおいて、ＰＣ本体内部のＣＰＵ発熱体主要部分を直接的に空例により冷却することができるので、発熱によるＣＰＵのパフォーマンスダウンを抑制し、ＣＰＵの動作不安定要素を無くし、快適なパフォーマンス性を誇る高性能ＣＰＵを搭載する極薄型高性能な新モデルノート型ＰＣが開発可能となる。
【図面の簡単な説明】
【図１】本発明に係るヒートシンク付きファンモータの構造を示す平面概略図である。
【図２】本発明に係るヒートシンク付きファンモータの構造を示す図１のＡ‐Ａ側断面概略図である。
【図３】本発明に係るヒートシンク付きファンモータの部品構成を示す分解斜視図である。
【図４】本発明に係るヒートシンク付きファンモータのロータファン部品の構造を示す平面図及び側面図である。
【図５】従来例に係るヒートシンク付きファンモータの構造を示す平面概略図である。
【図６】従来例に係るヒートシンク付きファンモータの構造を示す図５のＡ‐Ａ側断面概略図である。
【符号の説明】
1 ，21  吸引ヨーク
2 ，22  回路基板
3 ，23  巻線コイル
4 ,  24  樹脂板
5 ,  25  ストッパー
6  ベアリングカバー
7  ボールベアリング
8 ,  28  希土類磁石
9 ,  29  磁石ヨーク
10 , 30  ロータファン
10a  段部内径側翼
10b  段部外形側翼
11 , 27  焼結ベアリング
12  放熱板
13 , 33  シャフト
14 , 34  ヒートプレート
14a  隆起部分
30a , 30b  ロータ部翼
32a , 32b  放熱ブロック
40  空気取入れ口
43  中間段部
Ｄ  連結部・嵌合部
100  ヒートシンク付き極薄型ファンモータ
200  ヒートシンク機構付き薄型ファンモータ
【図１】
0004524376.tif 000002
【図２】
0004524376.tif 000003
【図３】
0004524376.tif 000004
【図４】
0004524376.tif 000005
【図５】
0004524376.tif 000006
【図６】
0004524376.tif 000007